(57)【要約】【課題】  テープガイドポストの高さ調整を容易にする。  【解決手段】  ボトムカバー２０９が、ビデオカメラ１０１の底面部と、カセットカバー１０７に隣接する面とを覆っている。ボトムカバー２０９は、締結ビス２１０〜２１７によりビデオカメラ１０１の筐体に締結される。ボトムカバー２０９を外すと、テープデッキ部のテープガイドポストが露出し、高さ調整が可能になる。また、テープデッキ部の磁気ヘッドの再生信号から得られるエンベロープデータを含む各種信号を外部に取り出すための通信コネクタも、露出する。【選択図】  図２
2008177799.tif 000002
【特許請求の範囲】
【請求項１】
撮像部と、
前記撮像部から取り込んだ情報を記録する情報記録部と、
前記情報記録部の調整を行うために前記情報記録部に設けられた調整部と、
信号処理回路基板と、
前記信号処理回路基板に実装された通信接続部と、
単独で取り外し可能な外装カバーであって、取り外すことで前記調整部と前記通信接続部に外部からのアクセスを可能にする外装カバー
とを具備することを特徴とする撮像装置。
【請求項２】
前記通信接続部によって通信する情報は、前記調整部を使って前記情報記録部の調整をするために必要な情報であることを特徴とする請求項１に記載の撮像装置。
【請求項３】
前記情報記録部は磁気テープに情報を記録するテープデッキであることを特徴とする請求項１又は２に記載の撮像装置。
【請求項４】
前記調整部は、前記テープデッキのテープ走行調整を行う手段であることを特徴とする請求項３に記載の撮像装置。
【請求項５】
前記通信接続部によって通信する情報は、前記テープデッキの再生信号から得られるエンベロープデータであることを特徴とする請求項３又は４に記載の撮像装置。
【請求項６】
前記情報記録部の最大平面部と対向するように前記信号処理回路基板が配置され、前記通信接続部は前記信号処理回路基板の板端に配置されていることを特徴とする請求項１乃至５の何れか１項に記載の撮像装置。
【請求項７】
前記通信接続部は、前記信号処理回路基板の最大平面と平行な方向で外部の通信手段と接続されることを特徴とする請求項６に記載の撮像装置。
【請求項８】
前記調整部は、前記情報記録部の最大平面と直交する方向から調整可能に配置されていることを特徴とする請求項１乃至７の何れか１項に記載の撮像装置。
【請求項９】
前記外装カバーは略Ｌ字型の部材で、Ｌ字を構成する一方の辺の面が前記調整部を覆い、Ｌ字を構成するもう一方の辺の面が前記通信接続部を覆うことを特徴とする請求項１乃至８の何れか１項に記載の撮像装置。
【発明の詳細な説明】
【技術分野】
【０００１】
本発明は、撮像装置に関する。
【背景技術】
【０００２】
一般に、ビデオカメラ等のヘリカルスキャン式磁気記録再生装置では、回転する磁気ヘッドが、磁気テープに記録されたトラックを正確に走査できるようにするため、テープの走行位置を調整する手段を具備する。図４は、従来のヘリカルスキャン式磁気記録再生装置の一例のテープ走行・回転ドラム機構の平面図を示す。テープガイドポスト４０１，４０２などが、テープの走行位置を規制する。テープガイドポスト４０１，４０２には、その頭部にネジ構造の高さ調整機構が備わっている。マスターテープ（トラック直線性の良い調整用の基準テープ）を使用し、磁気ヘッドの再生信号から得られるエンベロープデータに基づいて、テープガイドポスト４０１，４０２の高さを調整する。
【０００３】
従来のビデオカメラでは、筐体から図４に示すテープ走行・回転ドラム機構を取り出すことなしに、走行位置を調整できるように、図５に示すように、筐体に目隠し蓋５０１を設けていた。この目隠し蓋５０１を外すことで、内部のテープガイドポスト４０１，４０２を露出させることが可能となる。このように構成することで、サービスステーション等での調整・点検時において、目隠し蓋５０１を外すだけでテープガイドポスト４０１，４０２の高さを調整できるので、走行調整に要する時間を大幅に短縮できる。
【０００４】
また、マスターテープから走行調整・点検用のエンベロープデータを容易に得られるようにしてある。すなわち、図６に示すように、側面に目隠し蓋６０１を設け、目隠し蓋６０１を開けると、エンベロープデータ出力用のチェックランド又はコネクタが外部に露出するようになっている。このように構成することで、磁気ヘッド出力を外部に取り出しやすくなっており、マスターテープを使ったテープガイドポスト４０１，４０２の高さ調整が容易になる。
【０００５】
目隠し蓋５０１，６０１は、美観上、好ましくない上に、製造コストを増大させる。エンベロープ出力用コネクタを、着脱可能な電池の蓋内に配置することで、目隠し蓋６０１を省略できるようにした構成が、提案されている（特許文献１）。
【特許文献１】特開２００３-２１９２４８号公報
【発明の開示】
【発明が解決しようとする課題】
【０００６】
テープガイドポストやエンベロープ出力用の目隠し蓋５０１，６０１は、ユーザにとって意味が無く、美観を損ねる。加えて、目隠し蓋５０１，６０１を筐体に取り付けるために両面テープ等を使用するので、部品点数が増え、コストアップになる。
【０００７】
本発明は、このような問題を解決し、部品点数を少なくし、且つ、テープ走行の調整・点検を容易に行える撮像装置を提示することを目的とする。
【課題を解決するための手段】
【０００８】
上記の目的を達成するために、本発明に係る撮像装置は、撮像部と、前記撮像部から取り込んだ情報を記録する情報記録部と、前記情報記録部の調整を行うために前記情報記録部に設けられた調整部と、信号処理回路基板と、前記信号処理回路基板に実装された通信接続部と、単独で取り外し可能な外装カバーであって、取り外すことで前記調整部と前記通信接続部に外部からのアクセスを可能にする外装カバーとを具備することを特徴とする。
【０００９】
前記通信接続部によって通信する情報は、前記調整部を使って前記情報記録部の調整をするために必要な情報であることを特徴とする。
【００１０】
前記情報記録部は磁気テープに情報を記録するテープデッキであることを特徴とする。
【００１１】
前記調整部は、前記テープデッキのテープ走行調整を行う手段であることを特徴とする。
【００１２】
前記通信接続部によって通信する情報は、前記テープデッキの再生信号から得られるエンベロープデータであることを特徴とする。
【００１３】
前記情報記録部の最大平面部と対向するように前記信号処理回路基板が配置され、前記通信接続部は前記信号処理回路基板の板端に配置されていることを特徴とする。
【００１４】
前記通信接続部は、前記信号処理回路基板の最大平面と略平行な方向で外部の通信手段と接続されることを特徴とする。
【００１５】
前記調整部は、前記情報記録部の最大平面と略直交する方向から調整可能に配置されていることを特徴とする。
【００１６】
前記外装カバーは略Ｌ字型の部材で、Ｌ字を構成する一方の辺の面が前記調整部を覆い、Ｌ字を構成するもう一方の辺の面が前記通信接続部を覆うことを特徴とする。
【発明の効果】
【００１７】
本発明によれば、部品点数を少なくしつつ、調整作業時間を短縮できる。
【発明を実施するための最良の形態】
【００１８】
以下、図面を参照して、本発明の実施例を詳細に説明する。
【実施例１】
【００１９】
図１は、本発明の一実施例であるビデオカメラ１０１の正面方向（被写体側）から見た斜視図を示す。図２は、ビデオカメラ１０１の底面側斜視図を示す。
【００２０】
１０２はビデオカメラ本体１０１の長手方向前方（被写体側）に設けられたレンズ部である。１０３は撮影音声を集音するマイク部である。１０４は外部マイクやビデオライト等のアクセサリを装着可能なアクセサリシューである。１０５は液晶モニタ部であり、ビデオカメラ１０１の本体に対してヒンジ機構によって開閉及び回転が可能である。１０６は固定式のファインダである。
【００２１】
１０７はビデオカメラ１０１の内部に設けられた記録再生装置に磁気テープを装填するための開口を開閉するカセットカバーである。１０８はカセットカバー１０７のロック機構を解除するイジェクトノブである。１０９はビデオカメラ１０１の静止画撮影時に発光するストロボである。１１０はビデオカメラ１０１の合焦動作を補助するための距離センサ開口部である。１１１は撮影時に使用するＬＥＤ（発光ダイオード）等を光源とするビデオライトである。
【００２２】
１１２，１１３は各種操作キーである。１１４はビデオカメラ１０１のズーム操作を行うズームレバーである。１１５はビデオカメラ１０１で静止画の撮影を指示するフォトトリガーボタンである。１１６はビデオカメラ１０１の電源オフ・カメラモード・再生モードを切り替えるパワーダイアルである。
【００２３】
イジェクトノブ１０８及びストロボ１０９、距離センサ開口部１１０、ビデオライト１１１、ズームレバー１１４、フォトトリガーボタン１１５、及びパワーダイアル１１６は、レンズ１０２の光軸１１７と平行な平面１１８上に配設されている。
【００２４】
図２において、２０１は電源電圧を供給するバッテリ（図示せず）を装着するバッテリ装着部であり、バッテリは一般に充電池からなる。２０２は、バッテリを脱着するためのバッテリジェクトボタンである。２０３は３脚を取り付ける３脚ネジである。２０４は、図示しない外部接続端子を覆う端子蓋である。２０５，２０６は機能切替えスイッチである。２０７，２０８は各種操作を行う操作ボタンである。
【００２５】
２０９は、ボトムカバーと呼ばれる外装カバーであり、ビデオカメラ１０１の底面部と、カセットカバー１０７に隣接する面とを覆っている。ボトムカバー２０９は、図２に示す通り、略Ｌ字型断面を基本形としており、略Ｌ字の１辺を成す側がビデオカメラ１０１の底面部となり、略Ｌ字のもう１辺を構成する側がカセットカバー１０７の面と略同一の面を成している。
【００２６】
２１０〜２１７はボトムカバー２０９をビデオカメラ１０１の筐体に締結する締結ビスである。２１８は電源アダプタ端子が装着されＤＣ電源が入力されるＤＣ入力端子である。２１９はビデオカメラ１０１の動画撮影スタートストップを指示するトリガースイッチである。トリガースイッチ２１９も、光軸１１７と平行な平面１１８上に配設されている。
【００２７】
ボトムカバー２０９の取り外し方法を説明する。図３は、図２と同じ位置から見た斜視図であって、ボトムカバー２０９を取り外した状態を示す。図２において締結ビス２１０〜２１７を取り外すと、ボトムカバー２０９がビデオカメラ１０１から取り外し可能となる。ボトムカバー２０９は、最終製品状態からこれらの締結ビス２１０〜２１７を外すだけで、単独に取り外しが可能である。従って、ビデオカメラ１０１の組立工程で最後に組み付けるカバーとしてボトムカバー２０９を設定することができる。締結ビス２１０，２１７は、カセットカバー１０７のある面側からボトムカバー２０９をビデオカメラ１０１に締結している。締結ビス２１１〜２１６は、ビデオカメラ１０１の底面側にボトムカバー２０９を締結している。締結ビス２１０乃至２１７は、同一種類及び同一長さのビスで構成されているので、組みつけの際にサービスマン等が混同することが無い。
【００２８】
ボトムカバー２０９を取り外すと、図３に示すように、ビデオカメラ１０１の内部部材が露出する。３０１はビデオカメラ１０１の記録再生装置であるテープデッキ部である。３０６はテープデッキ部３０１の磁気ヘッドを回転させるドラム部である。テープデッキ部３０１は、図３に示すように、ビデオカメラ１０１の底面に垂直な方向に配置されている。
【００２９】
３０４はビデオカメラ１０１の信号処理回路等を搭載したメイン基板である。３０５はメイン基板３０４上に実装された通信コネクタである。通信コネクタ３０５は、テープデッキ部３０１の磁気ヘッドの再生信号から得られるエンベロープデータを含む各種信号を外部に取り出すために設けられている。メイン基板３０４は、図３に示すようにテープデッキ部３０１と略平行に配置され、さらに図示しない同一の板金部材に組みつけられている。
【００３０】
ボトムカバー２０９を取り外すことで、テープデッキ部３０１のテープガイドポスト３０２，３０３が露出するように構成されている。このように構成することによって、ボトムカバー２０９を外すだけで、テープガイドポスト３０２，３０３の頭部にドライバ等を勘合させて、回転させる、即ち、高さを調整することが可能である。
【００３１】
また、ビデオカメラ１０１は、ボトムカバー２０９を取り外した状態で、メイン基板３０４上に実装された通信コネクタ３０５が外部に露出する。一般にヘリカルスキャン式磁気記録再生装置のテープガイドポスト３０２，３０３は、テープデッキ部３０１の最大平面に略垂直な方向に突出している。そして、通信コネクタ３０５は、図３に示すように、メイン基板３０４の平面に対して平行な方向に勘合部を有するように、メイン基板３０４上に取り付けられている。このような構成をとることで、カセットカバー１０７側の面と底面とを略Ｌ字状に覆うボトムカバー２０９を外すだけで、テープガイドポスト３０２，３０３と通信コネクタ３０５が外部に露出し、通信コネクタ３０５からエンベロープデータを取り出すことが可能である。しかも、テープガイドポスト３０２，３０３の高さ調節も可能になる。
【００３２】
本実施例では、ボトムカバー２０９がカセットカバー１０７側の面とビデオカメラ１０１の底面という２面をＬ字状に覆っているが、本発明の外装カバーは、この限りでない。例えば、ビデオカメラ１０１の上面とカセットカバー１０７側の面を覆う略Ｌ字状断面を持つようなカバーを取り外すことで、テープガイドポストと通信コネクタに外部からアクセス可能にすることも可能である。
【００３３】
本実施例では、１つの外装カバー、ここではボトムカバー２０９を取り外すだけで、走行調整・点検用のエンベロープデータを取り出すことも、テープガイドポスト３０２，３０３の高さを調整することも可能になる。つまり、テープデッキ部３０１の走行調整及び点検が可能になる。従来は２つのカバーを外す必要があったが、本実施例で１つのカバーを外すだけで良くなるので、サービスマンの作業時間を短縮できると共に、部材を削減できる。部材の削減は、ビデオカメラ１０１の部品数と組立工数の低減につながるだけでなく、外観品位も向上する。
【００３４】
ヘリカルスキャン式磁気記録再生装置を記録再生部とするビデオカメラの実施例を説明したが、本発明は、これに限るものではい。例えば、光磁気ディスク装置を記録部とするビデオカメラにおいて、１つの外装カバーを取り外すことによって光ピックアップの位置調整用チェックランドと調整用の信号を通信するコネクタが露出可能となるような構成としても良い。
【図面の簡単な説明】
【００３５】
【図１】本発明の一実施例であるビデオカメラ１０１の外観斜視図である。
【図２】ビデオカメラ１０１の底面斜視図である。
【図３】ボトムカバーを取り外した状態のビデオカメラ１０１の斜視図である。
【図４】テープデッキの平面図である。
【図５】従来のビデオカメラの側面図である。
【図６】従来のビデオカメラの別の側面図である。
【符号の説明】
【００３６】
１０１  ビデオカメラ
１０２  レンズ
１０３  マイク
１０４  アクセサリシュー
１０５  液晶表示部
１０６  ファインダ
１０７  カセットカバー
１０８  イジェクトノブ
１０９  ストロボ
１１０  距離センサ
１１１  ビデオライト
１１２  操作部
１１３  操作部
１１４  ズームレバー
１１５  フォトトリガーボタン
１１６  パワーダイアル
１１７  光軸
１１８  光軸と平行な平面
２０１  バッテリ装着部
２０２  バッテリロックノブ
２０３  ３脚ネジ
２０４  端子蓋
２０５  機能切替えスイッチ
２０６  機能切替えスイッチ
２０７  操作ボタン
２０８  操作ボタン
２０９  ボトムカバー
２１０〜２１７  締結ビス
２１８  ＤＣ入力端子
２１９  トリガースイッチ
３０１  テープデッキ
３０２  テープガイドポスト
３０３  テープガイドポスト
３０４  メイン基板
３０５  通信コネクタ
４０１  テープガイドポスト
４０２  テープガイドポスト
５０１  目隠し蓋
６０１  目隠し蓋
【図１】
2008177799.tif 000003
【図２】
2008177799.tif 000004
【図３】
2008177799.tif 000005
【図４】
2008177799.tif 000006
【図５】
2008177799.tif 000007
【図６】
2008177799.tif 000008